(57)【特許請求の範囲】
【請求項１】
バッテリを収納した少なくとも１つ以上のケースを凹状の凹部に挿入して充電する電子機器用の充電台を備える充電装置において、
前記ケースを挿入する前記凹部内の両側面に前記ケースの両側面と凹凸係合する係合部を形成し、この凹部内両側の係合部を境にして片側に延在する底面に前記ケースが傾く凹状の段差部を形成した充電台を設け、
前記段差部は、前記係合部の近傍に設けて前記ケースが段差部側に傾く支点を有し、該支点と前記係合部との距離が短く、前記ケースの係合部が前記支点を中心として小さく回動することで前記充電台の係合部に係合して外れにくくすることを特徴とする充電装置。
【請求項２】
請求項１に記載の充電装置において、
前記充電台の係合部は前記凹部内の両側面に凸状に突出する凸部であり、前記ケースには前記凸部が嵌入する溝部を設けたことを特徴とする充電装置。
【請求項３】
請求項１に記載の充電装置において、
前記充電台は壁掛け型に形成されており、前記凹部は前記ケースを壁面に対して３０°〜６０°の角度で上方から挿入するように形成していることを特徴とする充電装置。
【請求項４】
請求項１に記載の充電装置において、
前記充電台は据え置き型に形成されており、前記凹部は設置面に対して前記ケースを直角方向から挿入するように形成していることを特徴とする充電装置。
【請求項５】
請求項１に記載の充電装置において、
前記バッテリを収納したケースは、前記電子機器の本体を形成するケース、または、前記電子機器の本体に着脱可能なバッテリパックのケースのいずれかであることを特徴とする充電装置。
【請求項６】
請求項１に記載の充電装置において、
前記電子機器は、携帯用無線機、携帯電話機などの携帯用の電子機器であることを特徴とする充電装置。
【発明の詳細な説明】
【０００１】
【発明の属する技術分野】
本発明は充電装置に係り、より詳細には携帯用電子機器のバッテリを充電する充電装置に関する。
【０００２】
【従来の技術】
従来、携帯用の電子機器には、電源として繰り返し充電が可能なバッテリを搭載しており、このバッテリを充電するための充電装置を同時に備えている。この従来の充電装置は、バッテリを収納したケースを凹状の凹部内に挿入し、この凹部内に端子を備えてケース内のバッテリに電気的に接続して充電する構造を備えている。例えば、携帯用無線機においては、通信中に多くの電源を消費するために繰り返し充電することが必要とされ、携帯用無線機の本体に脱着可能なバッテリパックのケースを複数備えて充電台で充電して入れ換えられるように形成している。図５は、このような携帯用無線機に採用した従来の充電装置を示す斜視図である。また、図６は、図５に示したＣ−Ｃ線の断面を示す断面図である。また、図７は、図６に示した矢印方向にケース２０が負荷を受けた状態を示す断面図である。
【０００３】
図５に示すように、携帯用無線機に採用した従来の充電装置は、携帯用無線機の本体（図示せず）に着脱可能に形成されて内部にバッテリ（図示せず）を収納するバッテリパックのケース２０を設け、このケース２０を設置して充電する凹状の凹部４２を形成した充電台４０を備えている。
ここで、ケース２０は、矩形で箱状に形成され内部が中空になっており、この内部に図示されていないがバッテリを収納している。そして、このケース２０は、外側の表面にバッテリと電気的に接続して給電するための端子２８が形成されている。また、ケース２０は、充電台４０に挿入する挿入方向に対して両側の側面に一部切り欠いて凹状に形成した溝部２４を形成している。
【０００４】
また、充電台４０は、箱状に形成されて一端面が壁１に掛けられるように形成されている。この充電台４０は、壁１に掛けた場合、表面に凹状に開口してケース２０を所定の角度θに傾けて挿入する凹部４２を形成している。この際、所定の角度θは、好ましくは、３０°〜６０°程度の角度で傾斜するように形成することが望ましい。また、充電台４０は、凹部４２内の両側面にケース２０の溝部２４に嵌入させるリブ状に突出した凸部４４を一体に形成している。また、充電台４０には、凹部４２内の傾斜面に開口部を設け、この開口部内から突出する接触端子４８を設けている。
【０００５】
このように形成された携帯用無線機に採用した従来の充電装置は、ケース２０を充電台４０の凹部４２内に挿入すると、まず、ケース２０の溝部２４が充電台４０の凸部４４に嵌入してケース２０が凸部４４に誘導されて挿入される。この際、ケース２０は、表面に設けた端子２８が充電台４０の接触端子４８と電気的に接触して通電状態なる。これによりケース２０は、図６に示すように、充電台４０の凹部４２内に通電状態で設置される。ここで、接触端子４８は、電源に接続されており、ケース２０の端子２８を介して内部のバッテリに電源を供給するように形成されている。
【０００６】
このように、従来の充電装置は、充電台４０の凹部４２内に凸状に突出する凸部４４を設けるとともに、バッテリを収納したケース２０の両側面に溝部２４を設け、この溝部２４と凸部４４とを凹凸係合させることで充電台４０にケース２０を確実に固定して充電していた。
しかしながら、このような従来の充電装置では、溝部２４の溝幅及び凸部４４の長さによる係合具合によっては、例えば、図７に示した矢印方向からケース２０に前方への力が加わった場合、ケース２０が一端側の図７に示した支点Ｄを中心として他端側の溝部２４が所定の円弧に沿って回動して凸部４４から容易に外れてしまう。これを防止するために、溝部２４の溝幅を狭くまたは凸部４４を長く形成すると、充電台４０の凹部４２にケース２０を設置しずらくなり、またケース２０を充電台４０から取り出すときには充電台４０からケース２０が外れなくなって取り出しにくいという不具合があった。
【０００７】
【発明が解決しようとする課題】
このように、従来の充電装置では、図７に示したように、ケース２０の溝部２４から一端側の支点Ｄまでに一定の距離を備えており、溝部２４と凸部４４との係合具合によって溝部２４側が支点Ｄを中心に回動することで充電台４０の凸部４４から容易に外れてしまうため、接触端子４８との接触が不十分になるとともに、壁掛け型の場合にケース２０が凸部４４から外れることで充電台４０から落下してしまうという不具合があった。
また、従来の充電装置では、凸部４４を長く延在させてケース２０の外れを防止する方法があるが、充電台４０の凸部４４を長く延在すると、充電台４０の凸部４４にケース２０の溝部２４を挿入することが困難になり、充電台４０の凹部４２にケース２０を設置しにくくなるという不具合があった。
本発明はこのような課題を解決し、バッテリを収納したケースを充電台に確実に支持して外れを防止するとともに良好に充電することが可能な充電装置を提供することを目的とする。
【０００８】
【課題を解決するための手段】
本発明は上述の課題を解決するために、バッテリを収納した少なくとも１つ以上のケースを凹状の凹部に挿入して充電する電子機器用の充電台を備える充電装置において、ケースを挿入する凹部内の両側面にケースの両側面と凹凸係合する係合部を形成し、この凹部内両側の係合部を境にして片側に延在する底面にケースが傾く凹状の段差部を形成した充電台を設け、この段差部は、係合部の近傍に設けてケースが段差部側に傾く支点を有し、該支点と係合部との距離が短く、ケースの係合部が支点を中心として小さく回動することで充電台の係合部に係合して外れにくくする。
【０００９】
ここで、充電台の係合部は凹部内の両側面に凸状に突出する凸部であり、ケースには凸部が嵌入する溝部を設けることが好ましい。また、充電台は壁掛け型に形成されており、凹部はケースを壁面に対して３０°〜６０°の角度で上方から挿入するように形成することが好ましい。また、充電台の他の実施の形態は据え置き型に形成されており、凹部は設置面に対してケースを直角方向から挿入するように形成することが好ましい。また、バッテリを収納したケースは、電子機器の本体を形成するケース、または、電子機器の本体に着脱可能なバッテリパックのケースのいずれかであることが好ましい。また、電子機器は、携帯用無線機、携帯電話機などの携帯用の電子機器であることが好ましい。
【００１０】
【発明の実施の形態】
次に、添付図面を参照して本発明による充電装置の実施の形態を詳細に説明する。図１は、本発明による充電装置を携帯用無線機に採用した実施の形態を示す斜視図である。また、図２は、図１に示したＡ−Ａ線の断面を示す断面図である。また、図３は、図２に示した矢印方向にケース２０が負荷を受けた状態を示す断面図である。ここで、図１に示すケースは図５に示した従来技術と同じものであり、同一構成要素には同一符号を記載している。
【００１１】
図１に示すように、本発明による充電装置を携帯用無線機に採用した実施の形態は、図５に示した従来技術と同様に、携帯用無線機の本体（図示せず）に着脱可能に形成されて内部にバッテリ（図示せず）を収納するバッテリパックのケース２０を設け、このケース２０を設置して充電する凹状の凹部１２を形成した充電台１０を備えている。
ここで、ケース２０は、矩形で箱状に形成され内部が中空になっており、この内部に図示されていないがバッテリを収納している。そして、このケース２０には、外側の表面にバッテリと電気的に接続して電源を給電するための端子２８を形成している。また、ケース２０は、充電台１０に挿入する挿入方向に対して両側の側面に一部切り欠いて凹状に形成した溝部２４を形成している。
【００１２】
また、充電台１０は、箱状に形成されて一端面が壁１に掛けられるように形成されている。この充電台１０は、壁１に掛けた場合、表面に凹状に開口してケース２０を所定の角度θに傾けて挿入する凹部１２を形成している。この際、所定の角度θは、好ましくは、３０°〜６０°程度の角度で傾斜するように形成することが望ましい。また、充電台１０は、凹部１２内の両側面にケース２０の溝部２４に嵌入されるリブ状に突出した凸部１４を一体に形成している。また、充電台１０には、所定の角度θで傾斜する凹部１２の傾斜面に開口部を設け、この開口部内から突出する接触端子１８を設けている。ここで、充電台１０は、図５に示した従来技術とは異なり、凹部１２内の両側に形成した凸部１４を境にして片側に延在する底面にケース２０が傾くような凹状の段差部１６を形成している。この段差部１６は、凸部１４の近傍に近接するように設けてある。
【００１３】
このように形成された本発明による充電装置を携帯用無線機に採用した実施の形態は、ケース２０を充電台１０の凹部１２内に挿入した場合、まず、ケース２０の溝部２４が充電台１０の凸部１４に嵌入してケース２０が凸部１４に誘導されて挿入される。この際、ケース２０は、表面に設けた端子２８が充電台１０の接触端子１８と電気的に接触して通電状態なる。これによりケース２０は、図２に示すように、充電台１０の凹部１２内に充電状態で設置される。ここで、接触端子１８は、電源に接続されており、ケース２０の端子２８を介して内部のバッテリに電源を供給する。
【００１４】
一方、このように充電台１０にケース２０を設置して図２に示した矢印方向から前方への力をケース２０に加えた場合、図３に示すように、ケース２０が支点Ｂを中心として段差部１６側に傾いて回動する。この際、ケース２０は、充電台１０の凸部１４近傍に段差部１６を形成することで、支点Ｂが凸部１４に近接した位置に設けられる。従って、ケース２０は、図７に示した従来技術に比べて、溝部２４と支点Ｂとの距離が短くなり、溝部２４側が支点Ｂを中心として小さく回動するため、溝部２４が凸部１４に係合して外れにくくなる。
【００１５】
このように本発明による充電装置を携帯用無線機に採用した実施の形態によると、ケース２０が充電台１０から外れにくくなるため、接触端子１８との接触を十分に行えるとともに、ケース２０が充電台１０から外れて落下するのを防止することができる。
また、本実施の形態によると、ケース２０が充電台１０から外れにくくなるため、凸部１４を短く形成でき、ケース２０の両側面に長い溝部２４を形成する必要がなくなり外観上優れたケースに形成できるとともに、このケース２０を充電台１０に設置する際に溝部２４を容易に充電台１０の凸部１４に挿入することが可能になる。
【００１６】
ここで、充電台を壁掛け用に形成した実施の形態を説明したが、これに限定するものではなく、例えば、充電台を据え置き型に形成してもよい。図４は、このように充電台を据え置き型に形成した本発明による充電装置の他の実施の形態を示す断面図である。ここで、図４に示すケースは図１に示したケースと同じものであり、同一構成要素には同一符号を記載している。
図４に示すように、充電台を据え置き型に形成した本発明による充電装置の他の実施の形態は、バッテリパックのケース２０を挿入する凹部３２を設置面２に対して垂直方向に形成した充電台３０を備えている。この充電台３０は、図１に示した充電台と同様に、凹部３２内の両側面に突出する凸部３４を設けてケース２０の溝部２４に嵌入するように形成している。また、充電台３０は、凹部３２の底面に凹状に切り欠いた段差部３６を形成している。
【００１７】
このように、充電台を据え置き型に形成した本発明による充電装置の他の実施の形態によると、凸部３４と段差部３６とを近接させて凹部３２内に形成しているため、図４に示した矢印方向から前方への力が加えられた場合に図１に示した充電装置と同様の効果が得られる。また、このように据え置き型に充電台３０を設けることで、図２に示した壁掛け型の充電台に比べて、よりバッテリパック２０が充電台３０から外れにくくなる。
【００１８】
以上、本発明による充電装置の実施の形態を詳細に説明したが、本発明は前述した実施の形態に限定されるものではなく、その要旨を逸脱しない範囲で変更可能である。
例えば、携帯用無線機に採用した充電装置の実施の形態を説明したが、これに限定されるものではなく、携帯電話機などの携帯用の電子機器にも適用することが可能である。
また、バッテリパックを充電台で充電する実施の形態を説明したが、これに限定されるものではなく、例えば、電子機器の本体内に直接バッテリを収納し、この本体を充電台に設置して充電することも可能である。
さらに、充電台にバッテリを収納したケースを１つ設置して充電する実施の形態を説明したが、これに限定されるものではなく、例えば、１つの充電台に複数のケースを設置できるように凹部を複数設けてもよい。
【００１９】
【発明の効果】
このように本発明による充電装置によれば、充電台の底面に段差部を設けているため、バッテリを収納したケースを充電台に確実に固定することができ、ケースが充電台から外れて落下することを防止するとともに、十分に充電することが可能になる。
また、本発明による充電装置によると、バッテリを収納したケースが充電台から外れにくいため、凹部内の凸部を短く形成できケースの両側面に長く溝部を形成する必要がなく外観上優れたケースを形成できるとともに、凸部を短く形成することでケースを充電台に設置する際に凸部を容易に充電台の溝部に係合することが可能になる。
【図面の簡単な説明】
【図１】本発明による充電装置を携帯用無線機に採用した実施の形態を示す斜視図。
【図２】図１に示したＡ−Ａ線の断面を示す断面図。
【図３】図２に示した矢印方向にケースが負荷を受けた状態を示す断面図。
【図４】充電台を据え置き型に形成した本発明による充電装置の他の実施の形態を示す断面図。
【図５】携帯用無線機に採用した従来の充電装置を示す斜視図。
【図６】図５に示したＣ−Ｃ線の断面を示す断面図。
【図７】図６に示した矢印方向にケースが負荷を受けた状態を示す断面図。
【符号の説明】
１    壁
１０    充電台
１２    凹部
１４    凸部
１６    段差部
１８    接触端子
２０    ケース
２４    溝部
２８    端子
【図１】
0003649975.tif 000002
【図２】
0003649975.tif 000003
【図３】
0003649975.tif 000004
【図４】
0003649975.tif 000005
【図５】
0003649975.tif 000006
【図６】
0003649975.tif 000007
【図７】
0003649975.tif 000008